(57)【特許請求の範囲】
【請求項１】
ステムの下端部に液面を検知するためのフロートにより構成されたセンサー部を設け、該ステムの上方部には取付フランジを配置した構造のレベル計において、前記取付フランジの下面の前記ステム取付部から離れた位置と該ステムの下端との間に、該フロートを該取付フランジ上面より操作可能とするためのワイヤーを張り渡し、前記ステムの下端部と前記取付フランジとの間の該ステムに１枚又は複数枚のガイドプレートを配設し、該ガイドプレートに前記ワイヤーが貫通する透孔を形成したことを特徴とするレベル計。
【請求項２】
前記ステムの下端に、該ステムの左右に突出したレバーを該ステムに対して回動可能に係着し、該レバーの突出した一方の端部に前記ワイヤーの下端を結着すると共に、該レバーの突出した他方の端部を、前記ガイドプレートの下面から突設したブラケットに回動自在に枢着したことを特徴とする請求項１に記載のレベル計。
【請求項３】
前記ワイヤーの上端を、前記取付フランジに螺着した気密性保持可能な構造の螺子に結着したことを特徴とする請求項１に記載のレベル計。
【請求項４】
前記ステムを前記取付フランジに対してスライド可能に嵌着したことを特徴とする請求項１に記載のレベル計。
【発明の詳細な説明】
【０００１】
【産業上の利用分野】
本発明は、地下に埋設した二重殻構造のタンクの漏洩検知のために設けるレベル計に関する。
【０００２】
【従来の技術】
従来のレベル計としては、取付フランジを貫通して細長いステムをタンク内に突出させ、該ステムの下端にはフロートとリードスイッチからなる液面検知部を設置し、該リードスイッチからの信号を伝達するリード線を該ステム内を貫通して外部に取り出す方式のものが知られている。
【０００３】
【発明が解決しようとする課題】
前記従来の技術によるレベル計を地下に埋設した二重殻構造のタンクの漏洩検出のために使用する場合、該検出対象に異常が生ぜぬ場合は長期間に渡って該レベル計が作動することがないため、該レベル計の電気的、機械的機能が正常であることを定期的に点検する必要があり、前記従来のレベル計では上記点検はレベル計を取り外す方法によらねばならず、レベル計の専門知識に乏しいユーザーには実質的な定期的な点検が困難であるという問題点があった。
【０００４】
本発明は上記の問題点を解消し、レベル計を取り付けたままの状態で専門知識に乏しいユーザーが簡単に該レベル計の定期点検を実施することができる構造の地下に埋設した二重構造のタンクの漏洩検知用のレベル計を提供することを目的とする。
【０００５】
【課題を解決するための手段】
本発明は上記の目的を達成すべくステムの下端部に液面を検知するためのフロートにより構成されたセンサー部を設け、該ステムの上方部には取付フランジを配置した構造のレベル計において、前記取付フランジの下面の前記ステム取付部から離れた位置と該ステムの下端との間に、該フロートを該取付フランジ上面より操作可能とするためのワイヤーを張り渡し、前記ステムの下端部と前記取付フランジとの間の該ステムに１枚又は複数枚のガイドプレートを配設し、該ガイドプレートに前記ワイヤーが貫通する透孔を形成したことを特徴とする。
【０００６】
【作用】
請求項１のレベル計において、前記フロートを前記取付フランジ上面より操作可能とするためのワイヤーを張り渡したので、漏洩がなくて検出液体が無い場合でも該ワイヤーの操作によって前記センサー部が漏洩を検出した場合と同様な状態に該フロートを動かすことができ、専門的知識の乏しいユーザーが簡便に該レベル計の電気的、機械的な機能が正常かどうかを点検することができる。
又、前記ステムにガイドプレートを設けたことにより二重殻タンク内の漏洩検知管のほぼ中心線上に前記センサー部を取り付けることができると共に、ガイドプレートに前記ワイヤーを貫通させたので該ワイヤーがガイドプレートと該漏洩検知管の管内壁との間に挟まれることによる作動不良状態を回避することができる。
【０００８】
請求項２のレベル計において、前記ステムの下端部に係着したレバーの一端に前記ワイヤーを結着すると共に該レバーの他端を前記ガイドプレートの下面から突出したブラケットに回動自在に枢着したので、該レバーを介してワイヤーで操作することにより容易に前記フロートの操作を行うことができる。
【０００９】
請求項３のレベル計において、前記ワイヤーを気密性保持可能な構造の螺子に結着したので、前記取付フランジが水等液体中に没した場合でも該螺子部から水等液体の侵入を阻止することができて漏洩の誤検出を防止することができると共に、該螺子をドライバー等でゆるめ外すことにより前記センサー部の機能点検を容易に行うことができる。
【００１０】
請求項４レベル計において、前記ステムを前記取付フランジに対してスライド可能に嵌着したので、前記二重殻タンクの漏洩検知管内に挿入する該ステムの挿入部長さの調節を容易に行うことができる。
【００１１】
【実施例】
本発明の１実施例を図１乃至図５により説明する。
【００１２】
１はレベル計であり、２ｅは二重殻タンク２の漏洩を監視するために設けた漏洩検知管を示す。尚、該二重殻タンク２のタンク外殻２ｂとタンク内殻２ｄの間の空隙２ｃは小孔２ｆにより該漏洩検知管２ｅの内部と導通している。
【００１３】
３が該レベル計１のステムで、取付フランジ２ａの中心透孔に嵌着され該取付フランジ２ａにより前記二重殻タンク２の漏洩検知管２ｅに固定されている。
【００１４】
又、前記ステム３の下端部にはリードスイッチ３ａを内蔵し、該リードスイッチ３ａからリード線３ｂが該ステム３内を貫通して頭部の防滴端子箱５へ到り、端子を介して信号ケーブル５ａにより外部へ接続している。
【００１５】
４はフロートで例えば発泡ＮＢＲ材よりなり、内部には環状のマグネット４ａを包蔵する。そして該フロート４はステム３に後述するレバー９とナット６ａの間を浮力により上下動可能に遊着してある。
【００１６】
６及び７は円板状のガイドプレートでその中心孔６ａ、７ａにおいてこれら中心孔６ａ、７ａに貫通するステム３に係止されており、又これらガイドプレート６、７の周辺部に透孔６ｂ、７ｂを形成し、これら透孔６ｂ、７ｂは後述するワイヤー８が挿通されて該ワイヤー８の操作のための通路を形成している。
【００１７】
該ワイヤー８の上端は前記取付フランジ２ａに螺着した気密性保持可能な螺子１０に撚り戻し１０ａを介して回動自在に結着してある。
【００１８】
又、前記レバー９はステム３の下端にあるストッパー１１により下方に脱落することを阻止するように、且ステム３をレバー９に設けた溝９ａの部分に挟み込む状態で前記ガイドプレート６から突出したブラケット６ｃに孔９ｂにおいて回動自在に枢着し、他方の端部の孔９ｃには前記ワイヤー８の下端を結着してある。尚、図５は地下に埋設された二重殻タンク２の断面図であり、１３は該二重殻タンク２の周囲の埋土であり、１２は該埋土１３の上のコンクリートスラブを示す。Ｌは該二重殻タンク内の液面のレベルである。
【００１９】
次に本レベル計の作動について説明する。
【００２０】
地下に埋設された二重殻タンク２の内壁２ｄからの油の漏洩または該二重殻タンク２の外壁２ｂからの地下水の侵入がない場合漏洩検知管２ｅの内部の油または水のレベルはゼロで、この時フロート４は下降した状態で、同じく下降した状態にあるブラケット９に接した状態で静止しており該ブラケット９はストッパー１１に接した状態で静止している。
【００２１】
更に、この時のリードスイッチ３ａはマグネット４ａの磁界の外にあるため開いた状態即ちスイッチ・オフの状態にある。
【００２２】
もし地下に埋設された二重殻タンク２の内壁２ｄに孔、亀裂等が生じた場合該タンク内部に貯蔵されている油が二重殻タンク２の内壁２ｄと外壁２ｂとの間の隙間２ｃから小孔２ｆを経由して前記漏洩検知管２ｅの内部に流入し、該流入した油によって前記漏洩検知管２ｅ内部の液位が上昇し前記フロート４は上昇してナット６ａに突き当たった状態で停止し、この時リードスイッチ３ａは前記マグネット４ａの磁界内に入るため閉じた状態即ちスイッチ・オンの状態となり、前記リード線３ｂ、信号ケーブル５ａにより該二重殻タンク２の漏洩発生を外部に告知する。外壁２ｂより地下水が二重殻タンク２の内壁２ｄと外壁２ｂとの間の隙間２ｃに侵入した場合も小孔２ｆを経由して前記漏洩検知管２ｅの内部に流入し、該流入した水によって前記漏洩検知管２ｅ内部の液位が上昇し前記フロート４は上昇してナット６ａに突き当たった状態で停止し、この時リードスイッチ３ａは前記マグネット４ａの磁界内に入るため閉じた状態即ちスイッチ・オンの状態となり、前記リード線３ｂ、信号ケーブル５ａにより該二重殻タンク２の漏洩発生を外部に告知する。
【００２３】
次にワイヤー８及び螺子１０の使用方法について説明する。
【００２４】
前述のように本発明によるセンサーは地下に埋設された二重殻タンク２の漏洩の有無を常に監視するものであるため、該二重殻タンク２が正常な状態即ち漏洩のない状態を維持している限りは全く動作しないため長期間使用するためには定期的にセンサーに故障がないかを点検する必要がある。
【００２５】
従来知られている取付フランジを貫通して細長いステムを突出させ、該ステムの下端にはフロートとリードスイッチからなる液面検知部を設置し、該リードスイッチからの信号を伝達するリード線を該ステム内を貫通して外部に取り出す方式のレベル計を地下に埋設された二重殻タンク２の漏洩検出に使用した場合センサーの定期点検のためには該センサーをタンクに設けた検知管より取り外す必要があり、その作業のために作業者は専門知識を必要とした。
【００２６】
しかるに本発明によれば前記気密性保持可能な螺子１０をドライバー等の工具によりゆるめ外したのちワイヤー８を引き上げることによってガイドプレート６から突出したブラケット６ｃに回動自在に枢着されたレバー９が支点９ｂを中心に上方に向かって回転上昇し、フロート４がレバー９の前記動作によって持ち上げられ、ナット６ａに突き当たった状態で静止し、この時のフロート４の状態は前記の漏洩が発生した時と全く同じになり、前記リードスイッチ３ａ、前記ステム内リード線３ｂ、前記信号ケーブル５ａに故障等異常がなければ漏洩を検知したことと全く同じ信号送出することによりセンサーに異常がないことをレベル計の専門知識がないユーザーにも簡単に点検できる。
【００２７】
尚、ここではリードスイッチ３ａにノルマル・オープンのものを示したが、これはノルマル・クローズのものであってもよい。
【００２８】
【発明の効果】
このように本発明によれば、地下に埋設された二重殻構造の油タンクに設置された漏洩検知管に取り付けたセンサー部の機能の定期的な点検がレベル計の専門知識を持たないユーザーでも簡便且確実に実施することができ、長期間に渡ってセンサー部の信頼性を維持することが容易であり、万一タンクに孔、亀裂等が生じ漏洩が起こった場合にも常に事態を検知可能であるから、危険回避、環境保護にも役立つ効果を有する。
【図面の簡単な説明】
【図１】本発明の１実施例の正面図である。
【図２】同上実施例のセンサー部の断面正面図である。
【図３】同上実施例のガイドプレートの平面図である。
【図４】同上実施例のレバーの斜視図である。
【図５】同上実施例の二重殻構造タンクの断面図である。
【符号の説明】
１        レベル計
２ａ        取付フランジ
３        ステム
４        フロート
６、７    ガイドプレート
６ｂ、７ｂ    透孔
６ｃ          ブラケット
８        ワイヤー
９        レバー
１０          螺子
【図１】
0003553167.tif 000002
【図２】
0003553167.tif 000003
【図３】
0003553167.tif 000004
【図４】
0003553167.tif 000005
【図５】
0003553167.tif 000006